(57)【要約】      （修正有）【課題】異なる形状を設計することにより、プレキャストの橋梁コンクリート構造の長さを延伸して、橋梁の接続面の建材費用を抑制するプレキャストコンクリート梁構造を提供する。【解決手段】少なくとも１つの横梁コンクリート構造と少なくとも１つの鉄筋籠構造を含み、横梁コンクリート構造は一般のプレキャスト橋梁コンクリート構造より軽く、しかも体積も小さいことから、運送コストを著しく低減する。【選択図】図１Ｂ
0003156943.tif 000002
【実用新案登録請求の範囲】
【請求項１】
プレキャストコンクリート梁構造であって、
低地に溝を設置した傾斜頂面を含む少なくとも１つの横梁コンクリート構造と、
前記鉄筋籠構造と前記傾斜頂面を相互に連接しグラウティングして橋梁コンクリート構造とする少なくとも１つの鉄筋籠構造と、
を含むことを特徴とするプレキャストコンクリート梁構造。
【請求項２】
前記鉄筋籠構造に対向して設置し、コンクリートのグラウティングの範囲を限定する少なくとも１つの桁受けをさらに含むことを特徴とする請求項1に記載のプレキャストコンクリート梁構造。
【請求項３】
、
隣接する２つの前記桁受けの間に設置した少なくとも１つの固定部材をさらに含むことを特徴とする請求項２に記載のプレキャストコンクリート梁構造。
【請求項４】
２組の前記鉄筋籠構造に隣接する前記複数の桁受けの間に設置した少なくとも１つの支持部材をさらに含むことを特徴とする請求項２に記載のプレキャストコンクリート梁構造。
【請求項５】
前記横梁コンクリート構造はさらに翼状のコンクリート構造を含み、前記翼状のコンクリート構造は前記傾斜頂面の高所に沿って上方に伸び、前記翼状のコンクリート構造と前記傾斜頂面は挟角を有し、しかも前記翼状のコンクリート構造の頂面は複数本の鉄筋を突出することを特徴とする請求項1に記載のプレキャストコンクリート梁構造。
【請求項６】
前記傾斜頂面は、前記鉄筋籠構造と交錯する複数本の鉄筋を突出することを特徴とする請求項1に記載のプレキャストコンクリート梁構造。
【考案の詳細な説明】
【技術分野】
【０００１】
本考案はプレキャストコンクリート梁構造に関する。
【背景技術】
【０００２】
橋梁コンクリート構造は一般工事で橋梁を架設する際によく利用されるコンクリート構造である。橋梁工事では通常杭打ちをして柱を設けることで橋柱を事前に設置した上で、プレキャストの橋梁コンクリート構造全体を懸架して定位置に載置すると共に、複数の橋梁コンクリート構造を連接して橋梁構造を完成させる。従来の橋梁コンクリート構造は全体がプレキャストであることから、重量要因によって一定の長さに分割してプレキャストしなければならない。こうすることで、プレキャストの橋梁コンクリート構造の数量が増加する上に、プレキャストの橋梁コンクリート構造の間の接続面に設置する建材費用も増加する。これに鑑みて、本考案は上記の欠点を改善し解決するために、特に研究に専念すると共に、併せて学術理論を運用して、合理的設計で上記の欠点を効果的に改善した本考案を提案するものである。
【考案の概要】
【考案が解決しようとする課題】
【０００３】
本考案の主な目的は、異なる形状を設計することにより、プレキャストの橋梁コンクリート構造の長さを延伸して、橋梁の接続面の建材費用を抑制するプレキャストコンクリート梁構造を提供することにある。
【０００４】
本考案の別の目的は、プレキャストコンクリート構造の体積を縮小することによって運送費用を抑制するプレキャストコンクリート梁構造を提供することにある。
【０００５】
本考案の別の目的は、鉄筋籠構造と統合することによって不要な人手負担を削減して、人件費を抑制するプレキャストコンクリート梁構造を提供することにある。
【課題を解決するための手段】
【０００６】
本考案のプレキャストコンクリート梁構造は、低地に溝を設置した傾斜頂面を含む少なくとも１つの横梁コンクリート構造と、前記鉄筋籠構造と前記傾斜頂面を相互に連接しグラウティングして橋梁コンクリート構造とする少なくとも１つの鉄筋籠構造とを含む。
【図面の簡単な説明】
【０００７】
【図１Ａ】本考案のプレキャストコンクリート梁構造における横梁コンクリート構造の実施例を示した概略図である。
【図１Ｂ】本考案のプレキャストコンクリート梁構造の実施例を示した断面図である。
【図１Ｃ】本考案のプレキャストコンクリート梁構造の別途実施例を示した断面図である。
【図１Ｄ】本考案の橋梁コンクリート構造の実施例を示した断面図である。
【図１Ｅ】本考案の橋梁コンクリート構造の実施例を示した斜視図である。
【図２Ａ】本考案のプレキャストコンクリート梁構造における横梁コンクリート構造の変化した実施例を示した概略図である。
【図２Ｂ】本考案のプレキャストコンクリート梁構造の変化した実施例を示した断面図である。
【図２Ｃ】本考案のプレキャストコンクリート梁構造の変化した実施例を示した断面図である。
【図２Ｄ】本考案の橋梁コンクリート構造の変化した実施例を示した断面図である
【考案を実施するための形態】
【０００８】
以下、添付図面を参照して本考案の実施の形態を詳細に説明する。
【実施例】
【０００９】
図1Ａに示すように、本考案のプレキャストコンクリート梁構造１に含まれる横梁コンクリート構造２上には傾斜頂面２１を含む。この傾斜頂面２１は、雨水や汚水が低地に合流して溜まった水をその他の地点へ排除して処理するのをサポートする。傾斜頂面２１は好ましくは対称的な傾斜構造であるが、前記傾斜頂面２１は一定の範囲に傾斜してからプレキャストコンクリート梁構造１の底面に平行に伸ばすこともでき、しかも低地に溝２３を設置して、雨水や汚水を窪地に合流させるのをサポートすることができ、また溝２３の底面２３１は好ましくは平面であるが、前記底面２３１は斜面又はＶ字型斜面でもよい。傾斜頂面２１は複数本の鉄筋３を突出するが、これらの鉄筋３は鉄筋籠構造４（図１Ｂ参照）と相互に交錯して、鉄筋３と鉄筋籠構造４をグラウティングした後の保持力を高めることができる。鉄筋３と傾斜頂面２１の間には挟角θを有し、挟角θの範囲は０度から１８０度の間であるが、好ましくは７０度から１１０度の間である。
【００１０】
図１Ｂに示すように、プレキャストコンクリート梁構造１は少なくとも１つの横梁コンクリート構造２と少なくとも１つの鉄筋籠構造４を含む。鉄筋籠構造４と傾斜頂面２１は相互に連接してから、グラウティングして橋梁コンクリート構造とする。鉄筋籠構造４はプレキャストした後に傾斜頂面２１の鉄筋３と連接すると、プレキャストした鉄筋籠のコンクリート構造は工事現場で施工して連接すればよく、さらにグラウティングする必要がない。
【００１１】
プレキャストコンクリート梁構造１は、鉄筋籠構造４に対向して設置してコンクリートの範囲を限定する少なくとも１つの桁受け５をさらに含み、換言すると、コンクリートは桁受け５が限定する範囲外に溢れ出ることがない。桁受け５自体が横梁コンクリート構造２上に固定し難いことから、プレキャストコンクリート梁構造１は、隣接する２つの桁受け５の間に設置する少なくとも１つの固定部材６さらに含む。前記固定部材６はナット６１、スペーサ６３、及びボルト６５を含み、ボルト６５は桁受け５と鉄筋籠構造４を貫通し、ナット６１とボルト６５は接続固定し、スペーサ６３は桁受け５と鉄筋籠構造４の間に設置すると共に、ボルト６５で貫通させることによって、桁受け５を鉄筋籠構造４の周囲に固定することができる。
【００１２】
プレキャストコンクリート梁構造１は、２組の鉄筋籠構造４に隣接する桁受け５の間に設置した少なくとも１つの支持部材７をさらに含み、異なる鉄筋籠構造４の桁受け５の相対距離を支持し、前記支持部材７は高硬度の木塊、金属棒及びその他のコンクリート構造から選択することができ、隣接する桁受け５の相対距離を支持する。プレキャストコンクリート梁構造１を分割してセメント注入した後に固定部材６と支持部材７を除去した結果、プレキャストコンクリート梁構造１は図１Ｃに示すとおりである。さらに桁受け５を全部取り外すと、プレキャストコンクリート梁構造１は図１Ｄに示すような橋梁コンクリート構造となる。図１Ｅに示すように、立体方法でプレキャストコンクリート梁構造１を観察すると、少なくとも１つの空洞９がプレキャストコンクリート梁構造１内に形成されるのが見られ、これらの空洞９は溝２３から不要な汚水や雨水、その他の流体を排除するのをサポートし、また電線や必要な配管、及びその他の通信器材等を空洞９内の装置に設置することもできる。
【００１３】
図２Ａに示すように、横梁コンクリート構造２は翼状のコンクリート構造８を含み、翼状のコンクリート構造８は傾斜頂面２１の高所（例えば、傾斜頂面２１の辺縁）に沿って上方に伸び、翼状のコンクリート構造８と傾斜頂面２１は挟角αを有し、挟角αの範囲は７０度から１５０度の間であるが、好ましくは８０度から１２０度の間であり、しかも翼状のコンクリート構造８の頂面８１には複数本の鉄筋３１を突出させる。
【００１４】
図２Ｂの断面図に示すように、鉄筋籠構造４と傾斜頂面２１は相互に連接する。鉄筋籠構造４は1対の横梁コンクリート構造２の間に設置し、鉄筋籠構造４と横梁コンクリート構造２の側辺は連接される。固定部材６と支持部材７の設置方法は前述したとおりである。また、横梁コンクリート構造２は傾斜頂面２１に沿って翼状のコンクリート構造８に対向する一端に水平に複数本の鉄筋３２を突出させ、横梁コンクリート構造２上の翼状のコンクリート構造８と異なる一端に複数本の鉄筋３２を突出させ、これらの鉄筋３２と鉄筋籠構造４は互いに交錯して、鉄筋３２と鉄筋籠構造４をグラウティングした後の保持力を高める。プレキャストコンクリート梁構造１を分割してセメント注入した後に固定部材６と支持部材７を除去した結果、プレキャストコンクリート梁構造１は図２Ｃに示すとおりである。さらに桁受け５を全部取り外すと、プレキャストコンクリート梁構造１は図２Ｄの実施例に示すような橋梁コンクリート構造となる。
【符号の説明】
【００１５】
１    プレキャストコンクリート梁構造
２    横梁コンクリート構造
２１  傾斜頂面
２３  溝
２３１底面
３    鉄筋
３１  鉄筋
３２  鉄筋  
４    鉄筋籠構造
５    桁受け
６    固定部材
６１  ナット
６３  スペーサ
６５  ボルト
７    支持部材
８    翼状のコンクリート構造
８１  頂面
９    空洞
【図１Ａ】
0003156943.tif 000003
【図１Ｂ】
0003156943.tif 000004
【図１Ｃ】
0003156943.tif 000005
【図１Ｄ】
0003156943.tif 000006
【図１Ｅ】
0003156943.tif 000007
【図２Ａ】
0003156943.tif 000008
【図２Ｂ】
0003156943.tif 000009
【図２Ｃ】
0003156943.tif 000010
【図２Ｄ】
0003156943.tif 000011
【手続補正書】
【提出日】平成21年11月19日(2009.11.19)
【手続補正１】
【補正対象書類名】実用新案登録請求の範囲
【補正対象項目名】請求項１
【補正方法】変更
【補正の内容】
【請求項１】
プレキャストコンクリート梁構造であって、
低地に溝を設置した傾斜頂面を含む少なくとも１つの横梁コンクリート構造と、鉄筋籠構造と前記傾斜頂面を相互に連接しグラウティングして橋梁コンクリート構造とする少なくとも１つの鉄筋籠構造と、
を含むことを特徴とするプレキャストコンクリート梁構造。
【手続補正２】
【補正対象書類名】実用新案登録請求の範囲
【補正対象項目名】請求項３
【補正方法】変更
【補正の内容】
【請求項３】
隣接する２つの前記桁受けの間に設置した少なくとも１つの固定部材をさらに含むことを特徴とする請求項２に記載のプレキャストコンクリート梁構造。